(57)【要約】【課題】  ディスプレイ装置及び電子機器において、部材等の交換をせずに、多彩な視覚的効果を得ること。【解決手段】  第１の光源４と、該第１の光源４を光入射面である端面５ａに配し第１の光源４から入射され導光した光を光路変換して主面側から面状に出射する導光板５と、該導光板５の上面を覆って少なくとも一部が透明又は半透明な光透過領域６ａを有する外側カバー部材６と、導光板５の下方であって光透過領域６ａの直下に配され上方に向けて光を出射する第２の光源７と、を備えている。【選択図】  図１
2010020115.tif 000002
【特許請求の範囲】
【請求項１】
第１の光源と、
該第１の光源を光入射面である端面に配し前記第１の光源から入射され導光した光を光路変換して主面側から面状に出射する導光板と、
該導光板の下方、内側又は内部に配され上方に向けて光を出射する第２の光源と、を備えていることを特徴とするディスプレイ装置。
【請求項２】
請求項１に記載のディスプレイ装置において、
前記導光板の上面を覆って少なくとも一部が透明又は半透明な光透過領域を有する外側カバー部材を備え、
前記第２の光源が、前記光透過領域の直下に配されていることを特徴とするディスプレイ装置。
【請求項３】
請求項１又は２に記載のディスプレイ装置において、
前記導光板が、少なくとも一つの孔又はスリットを有し、
前記第２の光源が、前記孔又はスリット内に配されていることを特徴とするディスプレイ装置。
【請求項４】
請求項１から３のいずれか一項に記載のディスプレイ装置において、
前記第２の光源が、ＬＥＤ光源であることを特徴とするディスプレイ装置。
【請求項５】
請求項１から４のいずれか一項に記載のディスプレイ装置において、
前記導光板が、複数に分割された導光エリアを有し、
前記第１の光源が、前記端面に前記導光エリア毎に対応して複数配されていると共に、前記導光エリア毎に輝度又は発光色を設定可能であることを特徴とするディスプレイ装置。
【請求項６】
請求項１から５のいずれか一項に記載のディスプレイ装置を備えていることを特徴とする電子機器。
【請求項７】
折り畳み可能な筐体の外側に前記ディスプレイ装置を備えた携帯電話機であることを特徴とする請求項６に記載の電子機器。
【発明の詳細な説明】
【技術分野】
【０００１】
本発明は、例えば携帯電話機の背面イルミネーション等の視覚的効果を向上させることができるディスプレイ装置及び電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にもデザイン性向上や遊び用途等のため、ＬＥＤ光源や液晶表示パネル又は有機ＥＬパネル等の簡易的なディスプレイ装置が搭載されて背面照明や情報表示等を行う機器が普及している。
【０００３】
従来、例えば特許文献１には、筐体の外側であって面発光部材上に一部が透明又は半透明なパネル部材が着脱可能に装着された二つ折り型の携帯端末装置が提案されている。この携帯端末装置では、面発光部上に設置されたパネル部材を面発光部で照明することで、該パネル部材に施された透明又は半透明な図柄が発光表示されるものである。
【０００４】
【特許文献１】特開２００４−８０３９１号公報（特許請求の範囲、図７）
【発明の開示】
【発明が解決しようとする課題】
【０００５】
しかしながら、上記従来の技術には、以下の課題が残されている。
上記特許文献１に記載の技術では、パネル部材の交換をしなければ発光表示の内容を変更することができないという不都合があった。このため、一つのパネル部材だけではイルミネーションパターンが一つに限られてしまい、別のパターンによる視覚的効果を得ることができない。また、近年、特に携帯電話機等の背面イルミネーションについて、より多彩な視覚的効果を用いてさらにデザイン性を向上させることが要望されている。
【０００６】
本発明は、前述の課題に鑑みてなされたもので、部材等の交換をせずに、多彩な視覚的効果を得ることができるディスプレイ装置及び電子機器を提供することを目的とする。
【課題を解決するための手段】
【０００７】
本発明は、前記課題を解決するために以下の構成を採用した。すなわち、本発明のディスプレイ装置は、第１の光源と、該第１の光源を光入射面である端面に配し前記第１の光源から入射され導光した光を光路変換して主面側から面状に出射する導光板と、該導光板の下方、内側又は内部に配され上方に向けて光を出射する第２の光源と、を備えていることを特徴とする。
【０００８】
このディスプレイ装置では、面状光源を構成する第１の光源及び導光板と、導光板の下方、内側又は内部に配され上方に向けて光を出射する第２の光源と、を備えているので、第１の光源を発光させると導光板から面状に光が出射されて面発光表示され、点光源である第２の光源を発光させると点発光表示される。したがって、第１の光源を駆動したときは、広いエリアを光らせることができ、第２の光源を駆動したときは、導光板の面発光領域内で特定の位置のみをスポット的に光らせることで、部材交換せずに、少なくとも２種類のイルミネーションパターンで高い視覚的効果を得ることができる。
【０００９】
また、本発明のディスプレイ装置は、前記導光板の上面を覆って少なくとも一部が透明又は半透明な光透過領域を有する外側カバー部材を備え、前記第２の光源が、前記光透過領域の直下に配されていることを特徴とする。すなわち、このディスプレイ装置では、導光板の上面を覆って少なくとも一部が透明又は半透明な光透過領域を有する外側カバー部材を備えているので、第１の光源を発光させると導光板から面状に外側カバー部材が照明されて光透過領域が発光表示され、点光源である第２の光源を発光させると直上の光透過領域を介して点発光表示される。したがって、第１の光源を駆動したときは、広いエリアを光らせて絵柄等が施された光透過領域を浮かび上がらせることができ、第２の光源を駆動したときは、光透過領域内で特定の位置のみをスポット的に光らせることができる。
【００１０】
また、本発明のディスプレイ装置は、前記導光板が、少なくとも一つの孔又はスリットを有し、前記第２の光源が、前記孔又はスリット内に配されていることを特徴とする。すなわち、このディスプレイ装置では、第２の光源が、導光板の孔又はスリット内に配されているので、少なくとも孔又はスリット内に配された第２の光源の厚さ分だけ装置全体を薄型化することができる。
【００１１】
また、本発明のディスプレイ装置は、前記第２の光源が、ＬＥＤ光源であることが好ましい。すなわち、ディスプレイ装置では、第２の光源がＬＥＤ光源であるので、低消費電力かつ低コストであって、高輝度で様々な発光色も設定可能な点光源のイルミネーションが可能になる。
【００１２】
また、本発明のディスプレイ装置は、前記導光板が、複数に分割された導光エリアを有し、前記第１の光源が、前記端面に前記導光エリア毎に対応して複数配されていると共に前記導光エリア毎に輝度又は発光色を設定可能であることを特徴とする。すなわち、このディスプレイ装置では、第１の光源が、導光板の端面に導光エリア毎に対応して複数配されていると共に導光エリア毎に輝度又は発光色を設定可能であるので、導光エリア毎に異なる輝度や発光色で面発光表示させることができ、より多彩な視覚的効果が得られる。
【００１３】
本発明の電子機器は、上記本発明のディスプレイ装置を備えていることを特徴とする。すなわち、この電子機器では、複数のイルミネーションパターンを有する本発明のディスプレイ装置を備えているので、機器の使用者に対して多彩な視覚的効果により良好な美観を起こさせることができる。
【００１４】
また、本発明の電子機器は、折り畳み可能な筐体の外側に上記本発明のディスプレイ装置を備えた携帯電話機であることを特徴とする。すなわち、この電子機器は、折り畳み可能な筐体の外側に上記本発明のディスプレイ装置を備えた携帯電話機であるので、折り畳んだ状態でも受信等の電話機の状況に応じて異なるイルミネーションパターンで筐体の外側に発光表示を行うことが可能になる。
【発明の効果】
【００１５】
本発明によれば、以下の効果を奏する。
すなわち、本発明に係るディスプレイ装置によれば、面状光源を構成する第１の光源及び導光板と、導光板の下方、内側又は内部に配され上方に向けて光を出射する第２の光源と、を備えているので、第１の光源の駆動により、広いエリアを光らせることができ、第２の光源の駆動により、導光板の面発光領域内で特定の位置のみをスポット的に光らせることで、少なくとも２種類のイルミネーションパターンで高い視覚的効果を得ることができる。したがって、本発明のディスプレイ装置を備えた携帯電話機等の電子機器では、面発光と点発光との組み合わせによる多彩な視覚的効果で、高いデザイン性を得ることができると共に、機器の使用者に対して、より良好な美観を起こさせることができる。
【発明を実施するための最良の形態】
【００１６】
以下、本発明に係るディスプレイ装置及び電子機器の第１実施形態を、図１から図４に基づいて説明する。なお、以下の説明に用いる各図面では、各部材を認識可能な大きさとするために縮尺を適宜変更している。
【００１７】
本実施形態におけるディスプレイ装置１は、図１及び図２に示すように、ＬＥＤ光源である複数の第１の光源４と、これら第１の光源４を光入射面である端面５ａに配し第１の光源４から入射され導光した光を光路変換して主面側から面状に出射する導光板５と、該導光板５の上面を覆って透明又は半透明な光透過領域６ａを有する外側カバー部材６と、導光板５の下方であって光透過領域６ａの直下に配され上方に向けて光を出射するＬＥＤ光源である複数の第２の光源７と、第１の光源４と第２の光源７との発光を駆動制御する光源制御部８と、を備えている。
【００１８】
また、本実施形態のディスプレイ装置１を備えた電子機器は、図３及び図４に示すように、折り畳み型の携帯電話機（電子機器）２であって、携帯電話機２の筐体３の外側にディスプレイ装置１の表示面が配されている。
なお、本実施形態では、ディスプレイ装置１の表示面側を上面側として記載している。
【００１９】
上記導光板５の下面には、両面テープ９を介して反射シート１０が接着固定されている。また、反射シート１０の下面には、複数の第１の光源４及び第２の光源７が実装されたフレキシブルプリント基板１１が設置されている。なお、反射シート１０には、各第２の光源７を挿通させる複数の貫通孔１０ａが形成されている。
上記第１の光源４及び第２の光源７は、図２に示すように、フレキシブルプリント基板１１を介して光源制御部８に電気的に接続されている。
【００２０】
第１の光源４は、例えば導光板３の入射面である端面５ａに向けて光を出射可能な側面発光型の白色ＬＥＤである。また、第２の光源７は、例えば上方に向けて光を出射可能な上面発光型の白色ＬＥＤである。
これらの白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２１】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２２】
上記導光板５は、例えば透光性の樹脂材料で構成されその端面から入射された第１の光源４からの光を導光すると共に光路変換してその主面（本実施形態では上面）から外側カバー部材６に対して面状の照明光を出射する薄板状又はシート状の薄型導光板である。
なお、導光板５の表面には、凸状ドットやプリズム等の光路変換を行う複数の微細光学形状を形成しても構わない。
【００２３】
上記反射シート１０は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。
上記外側カバー部材６は、例えば透光性の樹脂材料で構成されており、筐体３の外側窓部に嵌め込まれている。また、本実施形態の外側カバー部材６は、全体が光透過領域６ａとなっており、光透過領域６ａの表面又は裏面に絵柄Ｅが印刷等により施されている。
【００２４】
上記光源制御部８は、第１の光源４を点灯させて導光板５によって面発光させる場合と第２の光源７を点灯させて点発光させる場合とが、携帯電話機２の状態や操作に応じて設定されている。例えば、携帯電話機２の特定のボタンを押した場合は、図３に示すように、第１の光源４を点灯させて導光板５を面発光させて絵柄Ｅを表示させ、別の特定のボタンを押した場合は、図４に示すように、第２の光源７を点発光させてあたかも星が光るように点灯又は点滅させる制御を行う。
【００２５】
さらに、別の特定のボタンを押した場合は、第１の光源４と第２の光源７との両方を点灯させて絵柄Ｅの面発光表示及び点発光を重ねて表示させる制御を行う。また、携帯電話機２が待ち受け状態のときには、第２の光源７が任意の時間間隔でランダムに１つずつ点灯するように制御を行う。さらに、着信があった場合に、第２の光源７の全部が点灯又は点滅を繰り返すように制御を行う。
このように、光源制御部８は、マニュアル操作又は任意のタイミングで第１の光源４による面発光イルミネーションと、第２の光源７による点発光イルミネーションと、両者によるイルミネーションと、の３種類のパターンを選択して表示させる制御を行う。
【００２６】
このように本実施形態のディスプレイ装置１では、面状光源を構成する第１の光源４及び導光板５と、導光板５の下方に配され上方に向けて光を出射する第２の光源７と、を備えているので、第１の光源４を発光させると導光板５から面状に光が出射されて面発光表示され、点光源である第２の光源７を発光させると点発光表示される。したがって、第１の光源４を駆動したときは、広いエリアを光らせることができ、第２の光源７を駆動したときは、導光板５の面発光領域内で特定の位置のみをスポット的に光らせることで、部材交換せずに、少なくとも２種類のイルミネーションパターンで高い視覚的効果を得ることができる。
【００２７】
特に、導光板５の上面を覆って透明又は半透明な光透過領域６ａを有する外側カバー部材６を備えているので、第１の光源４を発光させると導光板５から面状に外側カバー部材６が照明されて光透過領域６ａが発光表示され、点光源である第２の光源７を発光させると直上の光透過領域６ａを介して点発光表示される。したがって、第１の光源４を駆動したときは、広いエリアを光らせて絵柄Ｅが施された光透過領域６ａを浮かび上がらせることができ、第２の光源７を駆動したときは、光透過領域６ａ内で特定の位置のみをスポット的に光らせることができる。
【００２８】
したがって、このディスプレイ装置１を備えた携帯電話機２では、折り畳んだ状態でも受信等の電話機の状況に応じて異なるイルミネーションパターンで筐体３の外側に発光表示を行うことが可能になる。
【００２９】
次に、本発明に係るディスプレイ装置及び電子機器の第２実施形態について、図５から図８を参照して以下に説明する。なお、以下の各実施形態の説明において、上記実施形態において説明した同一の構成要素には同一の符号を付し、その説明は省略する。
【００３０】
第２実施形態と第１実施形態との異なる点は、第１実施形態では、第１の光源４を点灯させた際に導光板５全体を同様に光らせているのに対し、第２実施形態のディスプレイ装置２１及び携帯電話機２２では、図５から図８に示すように、導光板２５が、長孔状の複数の光源用孔（孔）２５ａを有し、第２の光源２７が、これら光源用孔２５ａ内に配されている点である。
【００３１】
また、第２実施形態では、光源用孔２５ａが第１の光源２４の光軸方向に平行して延在していると共に該光軸方向に直交する方向へ一定間隔で並べられて導光板２５を複数の導光エリア２５ｂに分割し、さらに第１の光源２４が、端面５ａに導光エリア２５ｂ毎に対応して複数配されて、光源制御部８によって導光エリア２５ｂ毎に輝度又は発光色を設定可能となっている点で第１実施形態と異なっている。なお、図５では、導光板２５を、簡略的に図示して４つの導光エリア２５ｂに分割しているが、携帯電話機２２に搭載した際の導光板２５では、図７に示すように、７つの導光エリア２５ｂに分割している。
【００３２】
第２実施形態では、第１の光源２４にＲＧＢ−ＬＥＤを採用し、あらゆる色の光を出射させて導光エリア２５ｂ毎に面発光させることが可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを第１の光源２４としても構わない。この場合、各ＬＥＤにおいて印加電流を制御することで、様々な色で発光させることが可能になる。
また、第２実施形態では、第２の光源２７もＲＧＢ−ＬＥＤを採用し、あらゆる色の光を出射させて点発光させることが可能である。
【００３３】
第２実施形態では、光源制御部８により、図７に示すように、例えば７つの導光エリア２５ｂ毎に対応する第１の光源２４の発光色を変え、各導光エリア２５ｂで互いに異なる色の面発光を行い導光板５を七色発光させると同時に、第２の光源２７を白色光で点灯させるイルミネーションのモード（七色モード）で表示するように制御する。
また、別のモードとして、光源制御部８により、図８に示すように、第１の光源２４を全て白色光で発光させると同時に、第２の光源２７を青色光で点灯させるイルミネーションのモード（白色モード）で表示するように制御しても構わない。
このように光源制御部８は、携帯電話機２２の操作や受信状況等に応じて、七色モードと白色モードとのいずれかを選択して第１の光源２４及び第２の光源２７を駆動制御する。
【００３４】
なお、上記長孔形状の光源用孔２５ａの代わりに複数のスリットを設けて、これらスリット内に第２の光源２７を配すると共に、各スリットで導光板を複数の導光エリアに分けても構わない。
また、第２実施形態の外側カバー部材２６には、特に絵柄等を施していないが、第１実施形態と同様に、絵柄等を施しても構わない。
【００３５】
このように第２実施形態のディスプレイ装置２１では、第２の光源２７が、導光板２５の光源用孔２５ａ内に配されているので、少なくとも光源用孔２５ａ内に配された第２の光源２７の厚さ分だけ装置全体を薄型化することができる。
また、第１の光源２４が、導光板２５の端面５ａに導光エリア２５ｂ毎に対応して複数配されていると共に導光エリア２５ｂ毎に輝度又は発光色を設定可能であるので、導光エリア２５ｂ毎に異なる輝度や発光色で面発光表示させることができ、より多彩な視覚的効果が得られる。
【００３６】
なお、本発明は上記各実施形態に限定されるものではなく、本発明の趣旨を逸脱しない範囲において種々の変更を加えることができる。
【００３７】
例えば、上記各実施形態では、外側カバー部材の全体が透明又は半透明な光透過領域であるとしたが、一部が光透過領域となっており、光透過領域以外に印刷等が施されて遮光されているものでも構わない。また、光透過領域自体の形状を絵柄等の形状にしても構わない。なお、これらの場合でも、第２の光源は、光透過領域の直下に配される。
【００３８】
また、上記各実施形態では、ディスプレイ装置を携帯電話機の筐体の外側に表示面を向けて設けているが、別の場所に設けても構わない。例えば、液晶表示パネルの下部に通常設置されるバックライトの代わりに本発明のディスプレイ装置を設置しても構わない。この場合、外側カバー部材となる液晶表示パネルの表示に応じてディスプレイ装置のイルミネーションパターンを変えることで、さらに多様な視覚的効果を得ることができる。
さらに、上記各実施形態では、本発明のディスプレイ装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機の背面等に本発明のディスプレイ装置を搭載しても良い。
【００３９】
また、第１の光源としてＬＥＤ光源を採用することが好ましいが、蛍光ランプ等の他の光源を採用しても構わない。
また、本発明のディスプレイ装置を携帯電話機に搭載したが、ＰＤＡ、ノート型パーソナルコンピュータ（ノートＰＣ）や電子辞書等の他の電子機器に採用しても構わない。さらに、本発明のディスプレイ装置を、壁掛けディスプレイや看板等の単体で使用しても構わない。
【図面の簡単な説明】
【００４０】
【図１】本発明に係るディスプレイ装置及び電子機器の第１実施形態において、ディプレイ装置を示す平面図である。
【図２】図１のＡ−Ａ線矢視断面図である。
【図３】第１実施形態において、第１の光源だけを点灯させて面発光させた際の携帯電話機を示す斜視図である。
【図４】第１実施形態において、第２の光源だけを点灯させて点発光させた際の携帯電話機を示す斜視図である。
【図５】本発明に係るディスプレイ装置及び電子機器の第２実施形態において、ディプレイ装置を示す平面図である。
【図６】図５のＢ−Ｂ線矢視断面図である。
【図７】第２実施形態において、導光板を七色モードで発光させたときの携帯電話機を示す上面図である。
【図８】第２実施形態において、導光板を白色モードで発光させたときの携帯電話機を示す上面図である。
【符号の説明】
【００４１】
１，２１…ディスプレイ装置、２，２２…携帯電話機（電子機器）、３…筐体、４，２４…第１の光源、５，２５…導光板、５ａ…導光板の端面、６，２６…外側カバー部材、６ａ…光透過領域、７，２７…第２の光源、２５ａ…光源用孔（孔）、２５ｂ…導光エリア
【図１】
2010020115.tif 000003
【図２】
2010020115.tif 000004
【図３】
2010020115.tif 000005
【図４】
2010020115.tif 000006
【図５】
2010020115.tif 000007
【図６】
2010020115.tif 000008
【図７】
2010020115.tif 000009
【図８】
2010020115.tif 000010